(57)【要約】【課題】  光の漏出を確実に防止することができかつ安全性を向上することが可能な光信号伝送媒体を提供することを目的とする。【解決手段】  光送信モジュール１８において、光受信モジュール２０のＬＥＤ６０の光によって伝送される副光信号を受信し、未受信の場合に第１の制御手段としてのスイッチ３８によってＬＤ２８による主光信号の出力を停止する。また、光受信モジュール２０で主光信号の受信状態を副光信号として光送信モジュール１８へ伝送し、光送信モジュール１８において、副光信号に含まれる主光信号の受信状態が未受信の場合に、ＬＤＤ２６の駆動を制御してＬＤ２８による主光信号の出力を停止する。すなわち、副光信号が未受信、及び主光信号の受信状態が未受信の少なくとも一方の場合に、主光信号の出力を停止する。【選択図】        図２
2006050530.tif 000002
【特許請求の範囲】
【請求項１】
少なくとも１つのデータ幅を持つ主光信号を送信し、制御信号を含む副光信号を受信する光送信モジュールと、前記主光信号を受信し前記副光信号を送信する光受信モジュールと、前記光送信モジュールと前記光受信モジュール間を接続する光ケーブルと、からなり、双方向の光伝送を行う光信号伝送装置であって、
前記光送信モジュールが、
前記主光信号の受信状態をデータとして含む前記副光信号が未受信、及び前記受信状態が未受信の少なくとも一方の場合に、前記主光信号の出力を停止するように前記主光信号の出力を制御する制御手段を含むことを特徴とする光信号伝送装置。
【請求項２】
前記制御手段は、前記副光信号が未受信の時に前記主光信号の出力を停止する第１の制御手段と、前記受信状態が未受信のときに前記主光信号の出力を停止する第２の制御手段と、からなることを特徴とする請求項１に記載の光信号伝送装置。
【請求項３】
前記第２の制御手段は、前記受信状態を所定回数受信した時にデータを確定する確定手段を含むことを特徴とする請求項２に記載の光信号伝送装置。
【請求項４】
前記制御手段によって主光信号が停止された状態において、前記副光信号が未受信から受信に変化した時に、前記制御手段が前記主光信号の出力の停止を解除し、所定期間内に前記主光信号の前記受信状態が未受信のままの場合に、前記主光信号の出力を再度停止する復帰動作を、前記受信状態が受信となるまで所定周期毎に所定回数繰り返すことを特徴とする請求項１乃至請求項３の何れか１項に記載の光信号伝送装置。
【請求項５】
前記光送信モジュールの電源が投入された後に前記副光信号が受信となった時に、前記制御手段が前記主光信号の出力停止を解除し、所定期間内に前記主光信号の前記受信状態が未受信のままの場合に、前記主光信号の出力を再度停止する復帰動作を、前記受信状態が受信となるまで所定周期毎に所定回数繰り返すことを特徴とする請求項１乃至請求項３の何れか１項に記載の光信号伝送装置。
【請求項６】
前記主光信号は、映像信号を含むことを特徴とする請求項１乃至請求項５の何れか１項に記載の光信号伝送装置。
【請求項７】
前記制御手段は、前記映像信号が無信号状態の時に、前記主光信号の出力を停止し、前記副光信号を受信しかつ前記映像信号が無信号状態から映像情報を検知した時に前記主光信号の出力停止を解除し、所定期間内に前記主光信号の前記受信状態が未受信のままの場合に、前記主光信号の出力を再度停止する復帰動作を、前記受信状態が受信となるまで所定周期毎に所定回数繰り返すことを特徴とする請求項６に記載の光信号伝送装置。
【請求項８】
前記主光信号を伝送する前記光ケーブルの光プラグと前記副光信号を伝送する前記光ケーブルの光プラグとが一体形成されていることを特徴とする請求項１乃至請求項７の何れか１項に記載の光信号伝送装置。
【請求項９】
前記副光信号は、可視光を出力するＬＥＤを用いて光伝送を行うことを特徴とする請求項１乃至請求項８の何れか１項に記載の光信号伝送装置。
【発明の詳細な説明】
【技術分野】
【０００１】
本発明は、光信号伝送装置にかかり、特に、光信号を用いた光信号伝送装置に関する。
【背景技術】
【０００２】
液晶パネルやプラズマディスプレイの高解像度化に伴い、ホストからの大容量映像信号をデジタルのまま伝送することが求められている。例えば、業界団体であるＤＤＷＧ（Digital Display Working Group）が策定したＤＶＩ（Digital Visual Interface：デジタル映像伝送規格）は、ＴＭＤＳ（Transition Minimized Differensial Signaling）と呼ばれる差動信号規格で１ビットあたり１．６５Ｇｂｐｓという高速信号を伝送するものである。この伝送媒体としては、一般にはディスプレイケーブルとして広く使われているシールド付きのメタルケーブルが用いられるが、信号が高速故にケーブルの長さを１０ｍ以上延ばせないという問題があった。この高速信号を光に変換して長距離伝送を実現する光ケーブルも提案されているが、消費電力やレーザ光源を扱う上での安全性の面では解決しなければならない課題が残っている。
【０００３】
レーザ光源を扱う上での安全性向上した技術としては、光コネクタの抜去時などレーザ光漏出時にレーザ光を停止する技術などが提案されている（例えば、特許文献１、２）。
【０００４】
特許文献１に記載の技術では、映像信号等からなる主信号とは逆方向に接続確認用の動作信号を流し、主信号の送信装置側でその接続確認用の動作信号が検出されないときに主信号の送信を禁止することが提案されている。
【０００５】
また、特許文献２に記載の技術では、光プラグ内に導電端子を設けた電気／光複合ケーブルにより接続して、両端の光コネクタ部で導電し接続が検出された時に光を出力することが提案されている。
【０００６】
この他には、特許文献３に記載の技術なども提案されている。特許文献３に記載の技術では、全２重の光ファイバリンクの各送受信モジュールにおいて、受信信号が未受信状態の時レーザ出力を停止して、タイマにより定期的に所定時間だけレーザを点灯してリンク状態の点検を行うことが提案されている。
【特許文献１】特開平５−２４４０９９号公報
【特許文献２】特開２００１−１８５７８３号公報
【特許文献３】特公平６−６７３９１号公報
【発明の開示】
【発明が解決しようとする課題】
【０００７】
しかしながら、上述した従来の技術では、伝送媒体が正常に接続された状態を検出する方法が１つであり、これが故障した状態で光コネクタの抜去があると、レーザ光が漏出してしまう、という問題がある。
【０００８】
また、特許文献２に記載の技術では、接続確認用の専用媒体が必要となるなど、コストアップとなる。
【０００９】
また、特許文献３に記載の技術では、タイマを用いているため、信号を伝送する必要が無くても常時リンク状態の点検を行うので、消費電力や発光素子の寿命に影響を及ぼす、という問題がある。
【００１０】
本発明は、上記事実を考慮して成されたもので、光の漏出を確実に防止することができかつ安全性を向上することが可能な光信号伝送装置を提供することを目的とする。
【課題を解決するための手段】
【００１１】
上記目的を達成するために請求項１に記載の発明は、少なくとも１つのデータ幅を持つ主光信号を送信し、制御信号を含む副光信号を受信する光送信モジュールと、前記主光信号を受信し前記副光信号を送信する光受信モジュールと、前記光送信モジュールと前記光受信モジュール間を接続する光ケーブルと、からなり、双方向の光伝送を行う光信号伝送装置であって、前記光送信モジュールが、前記主光信号の受信状態をデータとして含む前記副光信号が未受信、及び前記受信状態が未受信の少なくとも一方の場合に、前記主光信号の出力を停止するように前記主光信号の出力を制御する制御手段を含むことを特徴としている。
【００１２】
請求項１に記載の発明によれば、少なくとも１つのデータ幅を持つ主光信号が光ケーブルを介して光送信モジュールから光受信モジュールに伝送され、主光信号の受信状態をデータとして含む副光信号が光ケーブルを介して光受信モジュールから光送信モジュールに伝送される。例えば、主光信号の光源としてはレーザ光源を用い、副光信号の光源としてはＬＥＤ光源を適用することができる。
【００１３】
この時、光送信モジュールでは、副光信号が未受信、及び主光信号の受信状態が未受信の少なくとも一方の場合に、制御手段によって主光信号の出力が停止される。すなわち、光ケーブルの未接続や光ケーブルの損傷等によって副光信号が未受信となったり、主光信号が未受信状態となるので、この場合に主光信号の出力を停止する。これによって、光ケーブルからの主光信号の漏出を確実に防止することができる。例えば、主光信号の光源として上述のようにレーザ光源を用いた場合には、レーザ光の漏出を防止することができる。
【００１４】
また、２条件（副光信号が未受信、及び主光信号の受信状態が未受信）の少なくとも一方の場合に、主光信号の出力を停止するので、一方の条件を検出する回路等が壊れても他方によって主光信号の出力を停止することが可能であるので、安全性を向上して確実にレーザ光の漏出を防止することができる。
【００１５】
なお、制御手段は、請求項２に記載の発明のように、副光信号が未受信の時に主光信号の出力を停止する第１の制御手段と、受信状態が未受信のときに主光信号の出力を停止する第２の制御手段と、から構成するようにしてもよい。すなわち、２段制御（第１の制御手段による制御と第２の制御手段による制御）とすることで、一方の制御手段が壊れても他方の制御手段によって、主光信号の光源からの光の漏出を確実に防止することができ、安全性を向上することが可能となる。
【００１６】
この時、第２の制御手段は、請求項３に記載の発明のように、主光信号の受信状態を所定回数受信した時にデータを確定する確定手段を含むようにしてもよい。このように確定手段を含むことで、副光信号の受信データにノイズとして誤りが有ったとしても、誤動作を防止することが可能となる。
【００１７】
また、請求項１乃至請求項３の何れか１項に記載の光信号伝送装置は、請求項４に記載の発明のように、制御手段によって主光信号が停止された状態において、副光信号が未受信から受信に変化した時に、制御手段が主光信号の出力の停止を解除し、所定期間内に主光信号の受信状態が未受信のままの場合に、主光信号の出力を再度停止する復帰動作を、主光信号の受信状態が受信となるまで所定周期毎に所定回数繰り返すようにしてもよいし、請求項５に記載の発明のように、光送信モジュールの電源が投入された後に副光信号が受信となった時に、制御手段が主光信号の出力停止を解除し、所定期間内に主光信号の受信状態が未受信のままの場合に、主光信号の出力を再度停止する復帰動作を、主光信号の受信状態が受信となるまで所定周期毎に所定回数繰り返すようにしてもよい。
【００１８】
なお、主光信号は、請求項６に記載の発明のように、映像信号を含むことが可能である。この場合には、請求項７に記載の発明のように、制御手段は、映像信号が無信号状態の時に、主光信号の出力を停止し、副光信号を受信しかつ映像信号が無信号状態から映像情報を検知した時に主光信号の出力停止を解除し、所定期間内に主光信号の受信状態が未受信のままの場合に、主光信号の出力を再度停止する復帰動作を、主光信号の受信状態が受信となるまで所定周期毎に所定回数繰り返すようにしてもよい。
【００１９】
また、主光信号を伝送する光ケーブルと副光信号を伝送する光ケーブルの光プラグは、請求項８に記載の発明のように、一体形成したものを適用することができる。これによって、主光信号の光ケーブルと副光信号の光ケーブルの挿抜を同時に行うことができる。
【００２０】
また、請求項１乃至請求項８の何れか１項に記載の副光信号は、請求項９に記載の発明のように、可視光を出力するＬＥＤを用いて光伝送を行うようにしてもよい。ＬＥＤを用いることで副光信号については漏出しても安全であり、動作確認を行うことも可能となる。
【発明の効果】
【００２１】
以上説明したように本発明によれば、副光信号が未受信及び主光信号の受信状態が未受信の少なくとも一方の場合に、主光信号の出力を停止することによって、光の漏出を確実に防止することができかつ安全性を向上することが可能となる、という効果がある。
【発明を実施するための最良の形態】
【００２２】
以下、図面を参照して本発明の実施の形態の一例を詳細に説明する。
【００２３】
（全体構成）
図１に示すように、本実施の形態に係わる映像信号伝送システムは、各種メディアからの映像／画像信号を選択して、モニタ１４に表示するシステムである。
【００２４】
各種メディアとしては、例えば、ＴＶアンテナ１４ａ、ビデオデッキ１４ｂ、ビデオカメラ１４ｃ、パーソナルコンピュータ（ＰＣ）１４ｄ等があり、ＴＶアンテナ１４ａから得られるテレビジョン信号、ビデオデッキ１４ｂやビデオカメラ１４ｃなどから得られるビデオ信号、ＰＣ１４ｄから得られる映像信号などを適用することができる。
【００２５】
各種メディアからの映像／画像信号は、セットトップボックス（ＳＴＢ）１６と呼ばれる映像／画像信号を選択し映像信号として出力する装置により、各種インタフェースに対応した映像信号として出力し、光信号伝送装置１０を介してプラズマディスプレイなどのモニタ１４に表示するようになっている。
【００２６】
光信号伝送装置１０が伝送する信号としては、映像信号の規格の１つに業界団体ＤＤＷＧが策定したＤＶＩなどが適用される。また、この他に音声情報やリモコン情報のやり取り等を行うためのＤＶＩ信号とは別の非ＤＶＩ信号も適用される。
【００２７】
ＤＶＩ信号は、ＴＭＤＳ信号と呼ばれる４ビットの差動信号対である各色映像信号のＲ、Ｇ、Ｂ（TMDS data0、TMDS data1、TMDS data2）と画素クロック（TMDS Clock）と、ホスト（ＳＴＢ１６）とモニタ１４間でディスプレイ情報をやり取りするDDC ClockとDDC DataからなるDDC信号と、ホスト１６とモニタ１４間の接続状態を通知する5V Power信号とＨＰＤ信号とからなり、非ＤＶＩ信号は、オーディオ信号やリモコン情報をやり取りする信号（ここではユーザデータと呼ぶ）がある。ここで各色映像信号と画素クロックとを合わせて映像信号と呼ぶことにする。
【００２８】
（光信号伝送装置）
光信号伝送装置１０は、図１及び図２に示すように、光送信モジュール１８、光受信モジュール２０、これらを接続する光ケーブル２２からなり、少なくとも１つのデータ幅を持つ信号としての映像信号を光送信モジュール１８から光ケーブル２２を介して光受信モジュール２０へ伝送する。
【００２９】
（光送信モジュール）
光送信モジュール１８は、ＤＶＩ信号の映像データ等をパラレル／シリアル変換するパラレル／シリアル変換２４を備え、パラレル／シリアル変換されたシリアル信号を光信号に変換するためのレーザ光源ドライバ（ＬＤＤ）２６に出力する。ＬＤＤ２６は変換されたシリアル信号に応じて変調した光を出力するためのBIAS信号とMOD信号をレーザ光源（ＬＤ）２８に出力することでＬＤ２８を駆動する。ＬＤ２８はＬＤＤ２６から出力されるBIAS信号とMOD信号に基づいて変調した光で発光すると共に、ＬＤ２８の発光光量をモニタするモニタＰＤ３０を含んで構成されている。モニタＰＤ３０は、ＬＤ２８から発光される光量をモニタしてＬＤＤ２６にフィードバックするようになっている。
【００３０】
詳細には、ホスト１６からモニタ１４への信号は、映像信号、DDC信号、5V Power信号、オーディオ信号、ユーザデータ下り信号があり、光送信モジュール１８に入力された信号は、パラレル／シリアル変換２４によってパラレル信号からシリアル信号に変換された後、ＬＤＤ２６及びＬＤ２８によって電気−光変換されて光ケーブル２２を介して光受信モジュール２０に伝送される。なお、光送信モジュール１８から光受信モジュールに伝送される光信号を主光信号という。
【００３１】
主光信号は、映像信号を含むため、高速信号が必要であり、例えば、ＷＸＧＡ（１２８０×７６８画素）では２Ｇｂｐｓ以上の伝送レートが必要となる。そのため高速変調が可能なレーザダイオード（例えば、富士ゼロックス社製ＶＣＳＥＬ−ＡＭ−０００１−Ｃ等）を用い、比較的大きなレーザ出力を必要とする。
【００３２】
また、光送信モジュール１８は、光受信モジュール２０のＬＥＤ６０から出力される光信号を受信するための受光素子（ＰＤ）３２を備えており、ＰＤ３２によって光信号が電気信号に変換される。ＰＤ３２から出力される電気信号は、増幅器（ＡＭＰ）３４によって増幅され、シリアル／パラレル変換３６によってパラレル信号に変換されてホスト１６に出力されるようになっている。
【００３３】
この時、ＡＭＰ３４は光受信モジュール２０から光を受信しているか否かを表すLED_LOS信号を後述する安全回路４０及び第１の制御手段としてのスイッチ３８に出力する。また、シリアル／パラレル変換３６では、光受信モジュール２０から伝送される信号に含まれる主光信号の受信状態を通知するLD_LOS（Loss Of Power）をRx_LOS信号として安全回路４０に出力する。なお、光受信モジュール２０から光送信モジュール１８に伝送される光信号を副光信号という。なお、LED_LOS信号は正常状態でローレベル、未受信状態でハイレベルを出力する２値レベルの信号とされている。
【００３４】
（安全回路）
安全回路４０は、光ケーブル２２が未接続状態や光ケーブル２２の破損等の場合にＬＤ２８の発光を停止するようにＬＤＤ２６を制御する。詳細には、図３に示すように、データ確定回路４２、パワーオン（PWR ON）検知回路４４、映像情報検知回路４６、状態検知回路４８、及びDisable信号制御回路５０を含んで構成されている。
【００３５】
データ確定回路４２は、光受信モジュール１８から伝送される副光信号のフレームレート（パラレル信号側のデータレート）で所定回数（例えば、３回等）連続して同一データが続いた時にデータのハイとローを変更してRx_LOS_D信号をDisable信号制御回路５０及び状態検知回路４８に出力する。すなわち、データ確定回路４２では、同一データが所定回数連続した時に、当該データを確定するようになっている。
【００３６】
状態検知回路４８は、データ確定回路４２から出力されるRx_LOS_D信号から主光信号の受信状態を検知して検知結果をDisable信号制御回路５０に出力し、パワーオン検知回路４４は、光送信モジュール１８の電源投入を検知してDisable信号制御回路５０に出力し、映像情報検知回路４６は、映像信号中の映像情報を検知してDisable信号制御回路５０に出力するようになっている。
【００３７】
Disable信号制御回路５０は、入力される信号に基づいてDisable信号をＬＤＤ２６に出力することでＬＤＤ２６によるＬＤ２８の駆動を制御する。なお、Disable信号制御回路５０は本発明の第２の制御手段に対応する。
【００３８】
（光受信モジュール）
光受信モジュール２０は、光送信モジュール１８から光ケーブル２２を介して受信した光を光−電気（ＯＥ）変換するＯＥ変換部５２で、光−電気変換した電気信号をシリアル／パラレル変換５４に出力すると共に、該電気信号に含まれる主光信号の受信状態を表すLD_LOS信号をパラレル／シリアル変換５６に出力する。シリアル／パラレル変換５４でパラレル信号に変換された信号はモニタ１４側に送信される。なお、LD_LOS信号は正常状態でローレベルとされ、光プラグの抜去時やファイバ断線による障害時など光信号を受信していないときには、ハイレベルを出力する２値レベル信号とされている。また、LD_LOS信号は、DDC Data信号、HPD信号、ユーザデータ上りと共に、モニタ１４からホスト１６への信号の１つとして、副光信号として伝送される。この副光信号は、ＬＥＤ６０を光源とし、電源が投入されて光受信モジュール２０がオン状態にある時は常に伝送状態（点滅を含む点灯状態）とされ、ＬＥＤ６０の出力光量はレーザ安全上十分に低い光量に設定されている。これによって、ＬＥＤ６０の発光により動作確認することも可能となる。
【００３９】
ＯＥ変換部５２は、光送信モジュール１８から伝送される光信号を受信する受光素子（ＰＤ）６２と、ＰＤ６２によって変換された電気信号を電流−電圧変換するＴＩＡ（Transimpedance Amp）６４と、電流−電圧変換された信号の電圧増幅を行うＬＡ（Limitting Amp）６６で構成されている。
【００４０】
また、光受信モジュール２０から光送信モジュール１８へ伝送される信号は、パラレル／シリアル変換５６でシリアル信号に変換された後ＬＥＤ６０を駆動するドライバ５８に出力され、ドライバ５８及びＬＥＤ６０によって電気−光変換されて光送信モジュール１８に伝送される。
【００４１】
副光信号は、高速の伝送レートを必要としないためＬＥＤ６０を用いることができ、この時、可視光のＬＥＤ６０を用いることで、コネクタ装着時等において安全を確保しつつ動作確認を行うことができる。
【００４２】
（光ケーブル）
光ケーブル２２は、図４に示すように、主光信号用の光ファイバが接続された主光信号端子８０と副光信号用の光ファイバが接続された副光信号端子８２が共通のハウジング８４により固定された光プラグ８６と、該光プラグ８６に接続された主光信号用光ファイバと副光信号用の光ファイバが束ねられた光ファイバ束２２Ａと、で構成されている。
【００４３】
すなわち、光プラグ８６を光送信モジュール１８及び光受信モジュール２０に対して挿抜することにより、主光信号用の光ファイバと副光信号用の光ファイバの挿抜を同時に行うことが可能とされている。
【００４４】
（作用）
次に、光プラグ８６挿抜時を含む光ケーブル２２の障害時に、主光信号を停止する際の作用について説明する。
【００４５】
光受信モジュール２０では、ＰＤ６２による光電変換後の増幅過程（ＴＩＡ６４による電流−電圧変換及びＬＡ６６による電圧増幅）で、主光信号の受信状態を表すLD_LOS信号が出力され、パラレル／シリアル変換５６によってシリアル信号に変換された後に、ドライバ５８及びＬＥＤ６０によって電気−光変換されて光送信モジュール１８に伝送される。なお、LD_LOS信号は、DDC Data信号、HPD信号、ユーザデータ上りと共に、モニタ１４からホスト１６への信号の１つとしてＬＥＤ６０を用いた副光信号として伝送される。
【００４６】
光送信モジュール１８に伝送された副光信号は、ＰＤ３２によって光−電気変換され、ＡＭＰ３４によって所定ロジックレベルに増幅された後、シリアル／パラレル変換３６によってパラレル信号に変換される。副光信号に含まれるLD_LOS信号は、光送信モジュール１８内でRx_LOS信号として抽出されて安全回路４０のデータ確定回路４２に出力される。
【００４７】
安全回路４０のデータ確定回路４２では、副光信号のフレームレートで所定回数（例えば、３回等）同一データが続いた時に、Rx_LOS信号が確定されてRx_LOS_D信号としてDisable信号制御回路５０に出力される。この回数は、断線などによるレーザ光の漏洩が起きてから安全回路４０によりレーザ出力が遮断されるまでのレーザ出力のエネルギーが、安全性の面で十分低いエネルギーである回数である。すなわち、データ確定回路４２によって副光信号のデータに誤りが有っても誤動作を防止することができる。
【００４８】
そして、Disable信号制御回路５０では、Rx_LOS_D信号に基づいて、ＬＤＤ２６にDisable信号が出力される。この時、Disable信号制御回路５０では、Rx_LOS信号（Rx_LOS_D信号）がローレベルの状態の時、Disable信号をローレベルとして出力し、ＬＤＤ２６によってＬＤ２８を正常発光させ、Rx_LOS信号（Rx_LOS_D信号）がハイレベルの状態の時、Disable信号をハイレベルとして出力し、ＬＤＤ２６によってＬＤ２８の発光を停止することによって主光信号が停止される。このように処理することによって主光信号の受信状態に応じて主光信号を停止することができる。
【００４９】
さらに、光送信モジュール１８では、ＰＤ３２による光電変換後のＡＭＰ３４による増幅過程で、副光信号の受信状態を表すLED_LOS信号が抽出され、ＬＤＤ２６への電源供給を行う第１の制御手段としてのスイッチ３８の制御が行われる。この時、LED_LOS信号がローレベルの状態の時、ＬＤＤ２６への電源供給が制御されスイッチ３８がオン状態とされて、ＬＤＤ２６によってＬＤ２８を正常発光させ、LED_LOS信号がハイレベルの状態の時、ＬＤＤ２６への電源供給が制御されてスイッチ３８がオフ状態とされて、ＬＤ２８の発光が停止されていることによって主光信号が停止される。
【００５０】
詳細には、光プラグ装着時、電源投入時、映像信号検出時の各タイミングで以下のように処理が行われる。
【００５１】
光プラグ装着時には、図５に示すタイミングチャートのように復帰シーケンスが行われる。なお、図５は、光プラグ８６装着時の復帰シーケンスを示すタイミングチャートである。
【００５２】
光プラグ８６が光送信モジュール１８及び光受信モジュール２０に装着されると、光送信モジュール１８ではＰＤ３２によって副光信号を感知し、副光信号の受信状態を表すLED_LOSがハイレベルからローレベルに変化する。この動作によってスイッチ３８がオンされて（PWRが徐々に立ち上がって）ＬＤＤ２６の電源がオン状態となり、Disable信号制御回路５０から出力されるDisable信号によりＬＤ２８からのレーザ光の出力が制御されるようになる。
【００５３】
Disable信号制御回路５０は、LED_LOSがローレベルになった後、ＬＤＤ２６が動作可能にあるＴ１後（例えば、１００ｍｓ）にＴ２の期間（例えば１０ｍｓ）の間、Disable信号をローレベルにして主光信号を発光させる。ここで、Ｔ１はＬＤＤ２６の電源がＯＮして動作を開始できるのに十分な時間であり、Ｔ２はＬＤ２８の発光を許可してから主光信号の受信状態が確認できるのに十分でかつ安全性の面で十分低いエネルギーである時間である。主光信号を発光させている間にLD_LOS信号がハイレベルからローレベルに変化することによりRx_LOS_D信号がハイレベルからローレベルに変化した場合に、状態検知回路４８によって光ケーブル２２が正常に接続されて動作可能と判断し、正常動作に移行する。
【００５４】
Ｔ２の期間内にRx_LOS_D信号がローレベルに変化しなかった場合には、Ｔ３の周期（例えば、５００ｍｓ）で例えば１０回程度繰り返し光ケーブル２２の接続状態を確認し、Rx_LOS_Dがローレベルに変化した場合に、正常動作に移行する。ここで、Ｔ３は安全性の面で十分低い平均エネルギーである時間である。Rx_LOS_Dがハイレベルのままの時は、Disable信号をハイレベルにして主光信号を停止した状態で復帰シーケンスを終了する。
【００５５】
また、電源投入時には、図６に示すタイミングチャートのように立上げシーケンスが行われる。なお、図６は、電源投入時の立上げシーケンスを示すタイミングチャートである。
【００５６】
光送信モジュール１８及び光受信モジュール２０の電源が供給され、光送信モジュール１８では、パワーオン検知回路４４によって電源供給が検知されると共に、Disable信号が電源電圧の上昇に伴い徐々に立ち上がってハイレベルになる。一方、光受信モジュール２０ではLD_LOS信号が電源電圧の上昇に伴い徐々にハイレベルになると共に、ＬＥＤ６０が発光を開始し副光信号の伝送が開始される。この時、LED_LOS信号のローレベルを検知すると、スイッチ３８がオンされて（PWRが徐々に立ち上がって）ＬＤＤ２６の電源がオン状態となり、Disable信号制御回路５０から出力されるDisable信号によりＬＤ２８からのレーザ光の出力が制御されるようになり、上述の光プラグ８６装着時の復帰シーケンスと同様に、光ケーブル２２の接続状態の確認が行われる。
【００５７】
Disable信号制御回路５０は、LED_LOSのローレベルを検知した後、ＬＤＤ２６が動作可能にあるＴ１後（例えば、１００ｍｓ）にＴ２の期間（例えば１０ｍｓ）の間、Disable信号をローレベルにして主光信号を発光させる。その間にLD_LOS信号がハイレベルからローレベルに変化することによりRx_LOS_D信号がハイレベルからローレベルに変化した場合に、状態検知回路４８によって光ケーブルが正常に接続されて動作可能と判断し、正常動作に移行する。
【００５８】
Ｔ２の期間内にRx_LOS_D信号がローレベルに変化しなかった場合には、Ｔ３の周期（例えば、５００ｍｓ）で例えば１０回程度繰り返し光ケーブル２２の接続状態を確認し、Rx_LOS_Dがローレベルに変化した場合に、正常動作に移行する。Rx_LOS_Dがハイレベルのままの時は、Disable信号をハイレベルにして主光信号を停止した状態で復帰シーケンスを終了する。
【００５９】
更に、映像情報検出時には、図７に示すタイミングチャートのように復帰シーケンスが行われる。なお、図７は、映像情報検出時の復帰シーケンスを示すタイミングチャートである。
【００６０】
映像情報検知回路４６は、TMDS信号の出力状態を検知する。この時、TMDS信号が検知されていない場合には、映像信号が来ていない状態（無信号状態）と判断して、Disable信号をハイレベルにして主光信号の出力を停止する。これによって、不要時のレーザ発光が停止され、消費電力を低減することができると共に、ＬＤ２８の寿命を延ばすことが可能となる。
【００６１】
また、TMDS信号が映像情報検知回路４６によって検知されると、まず光ケーブル２２の接続状態の確認を行う。映像情報検知回路４６によって映像情報が検知されてからＴ５（例えば１ｍｓ）の後、Disable信号をローレベルにし、上述の光プラグ８６装着時の復帰シーケンスと同様に、光ケーブル２２の接続状態の確認が行われる。なお、図７では光ケーブル２２の接続が維持された状態、すなわち、LED_LOSがローベルを継続した状態を示す。
【００６２】
Disable信号制御回路５０は、LED_LOSのローレベルを検知した後（図７では上述したようにローレベルが継続した状態を示す）、ＬＤＤ２６が動作可能にあるＴ２の期間（例えば１０ｍｓ）の間、Disable信号をローレベルにして主光信号を発光させる。その間にLD_LOS信号がハイレベルからローレベルに変化することによりRx_LOS_D信号がハイレベルからローレベルに変化した場合に、状態検知回路４８によって光ケーブルが正常に接続されて動作可能と判断し、正常動作に移行する。
【００６３】
Ｔ２の期間内にRx_LOS_D信号がローレベルに変化しなかった場合には、Ｔ３の周期（例えば、５００ｍｓ）で例えば１０回程度繰り返し光ケーブル２２の接続状態を確認し、Rx_LOS_Dがローレベルに変化した場合に、正常動作に移行する。Rx_LOS_Dがハイレベルのままの時は、Disable信号をハイレベルにして主光信号を停止した状態で復帰シーケンスを終了する。
【００６４】
このように本実施の形態の映像信号伝送システムにおける光信号伝送装置１０では、主光信号の受信状態をデータとして含む副光信号が未受信、及び主光信号の受信状態が未受信の少なくとも一方の場合に、主光信号の出力を停止するように主光信号の出力を制御することによって、光ケーブル２２の未接続や損傷等によるレーザ光の漏出を確実に防止することができる。
【００６５】
また、副光信号が未受信の場合に主光信号を停止する制御と、主光信号の受信状態が未受信の場合に主光信号を停止する制御と、２段制御としているので、何れか一方が故障しても他方によってレーザ光の漏出を防止することができ、安全性を向上することができる。
【００６６】
続いて、上記の実施の形態の変形例について説明する。
【００６７】
上記の実施の形態では、映像を含む全てのＤＶＩ信号をパラレル／シリアル変換してから光受信モジュールに伝送するようにしたが、変形例では、ＤＶＩ信号のうち映像信号はパラレル／シリアル変換せずに光受信モジュールに伝送するものである。なお、上記の実施の形態と同一構成について同一符号を付して説明する。
【００６８】
（全体構成）
図８に示すように、変形例の映像信号伝送システムは、上記の実施の形態と同様に、各種メディアからの映像／画像信号を選択して、モニタ１４に表示するシステムである。
【００６９】
各種メディアとしては、上記の実施の形態で説明したように、例えば、ＴＶアンテナ１４ａ、ビデオデッキ１４ｂ、ビデオカメラ１４ｃ、パーソナルコンピュータ（ＰＣ）１４ｄ等があり、ＴＶアンテナ１４ａから得られるテレビジョン信号、ビデオデッキ１４ｂやビデオカメラ１４ｃなどから得られるビデオ信号、ＰＣ１４ｄから得られる映像信号などを適用することができる。
【００７０】
各種メディアからの映像／画像信号は、セットトップボックス（ＳＴＢ）１６と呼ばれる映像／画像信号を選択し映像信号として出力する装置により、各種インタフェースに対応した映像信号として出力し、光信号伝送装置１１を介してプラズマディスプレイなどのモニタ１４に表示するようになっている。
【００７１】
光信号伝送装置１１が伝送する信号としては、上記の実施の形態と同様に、映像信号の規格の１つに業界団体ＤＤＷＧが策定したＤＶＩなどが適用される。また、この他に音声情報やリモコン情報のやり取り等を行うためのＤＶＩ信号とは別の非ＤＶＩ信号も適用される。
【００７２】
ＤＶＩ信号は、ＴＭＤＳ信号と呼ばれる４ビットの差動信号対である各色映像信号のＲ、Ｇ、Ｂ（TMDS data0、TMDS data1、TMDS data2）と画素クロック（TMDS Clock）と、ホスト（ＳＴＢ１６）とモニタ１４間でディスプレイ情報をやり取りするDDC ClockとDDC DataからなるDDC信号と、ホスト１６とモニタ１４間の接続状態を通知する5V Power信号とＨＰＤ信号とからなり、非ＤＶＩ信号は、オーディオ信号やリモコン情報をやり取りする信号（ここではユーザデータと呼ぶ）がある。ここで各色映像信号と画素クロックとを合わせて映像信号と呼ぶことにする。
【００７３】
（光信号伝送装置）
光信号伝送装置１１は、図８及び図９に示すように、光送信モジュール１９、光受信モジュール２１、これらを接続する光ケーブル２２からなり、少なくとも１つのデータ幅を持つ信号としての映像信号を光送信モジュール１８から光ケーブル２２を介して光受信モジュール２１へ伝送する。
【００７４】
（光送信モジュール）
光送信モジュール１９は、ＤＶＩ信号のうち映像信号を電気−光変換するＥ／Ｏ変換７０を各映像信号毎に備えており、ホスト１６側から送信されてくる映像信号を電気−光変換して光受信モジュール２１に光ケーブル２２を介して伝送するようになっており、各Ｅ／Ｏ変換７０は、ＬＤを用いて光受信モジュール２１に光信号を伝送する。すなわち、映像信号を伝送するためのＥ／Ｏ変換７０は、上記の実施の形態のＬＤＤ２６、ＬＤ２８、及びＰＤ３０等を含んで構成されている。なお、光ケーブル２２は、各映像信号に対応して設けられている。
【００７５】
映像信号以外のＤＶＩ信号とＤＶＩ以外の信号は、上記の実施の形態と同様に、パラレル／シリアル変換２４によってシリアル信号に変換した後に、Ｅ／Ｏ変換７２によって電気−光変換して光受信モジュール２１に伝送するようになっている。なお、映像信号以外のＤＶＩ信号及びＤＶＩ以外の信号は、高速信号ではないので、Ｅ／Ｏ変換７２はＬＥＤを適用して光伝送する。例えば、上記の実施の形態におけるドライバ５８及びＬＥＤ６０等を適用することができる。
【００７６】
すなわち、ホスト１６からモニタ１４への信号は、上記の実施の形態で説明したように、映像信号、DDC信号、5V Power信号、オーディオ信号、ユーザデータ下り信号があり、光送信モジュール１９に入力された信号のうちの各映像信号は、対応する各Ｅ／Ｏ変換７０によって電気−光変換された後、光ケーブル２２を介して光受信モジュール２１に伝送され、残りの信号（DDC信号、5V Power信号、オーディオ信号、ユーザデータ下り信号）は、パラレル−シリアル変換された後に、Ｅ／Ｏ変換７２によって電気−光変換されて光受信モジュール２１に伝送される。なお、変形例では、各色映像信号（TMDS data0、TMDS data1、TMDS data2）と画素クロック（TMDS Clock）が主光信号に対応する。
【００７７】
主光信号は、映像信号からなるため、高速信号が必要であり、例えば、ＵＸＧＡ（１６００×１２００画素）では１．６２Ｇｂｐｓの伝送レートが必要となる。そのため高速変調が可能なレーザダイオード（例えば、富士ゼロックス社製ＶＣＳＥＬ−ＡＭ−０００１−Ｃ等）を用い、比較的大きなレーザ出力を必要とする。
【００７８】
また、光送信モジュール１９は、光受信モジュール２１の後述するＥ／Ｏ変換９４から出力される光信号を受信して光−電気変換するＯ／Ｅ変換７４を備えている。なお、当該Ｏ／Ｅ変換７４は、上記の実施の形態におけるＰＤ３２及びＡＭＰ３４等を適用することができる。
【００７９】
Ｏ／Ｅ変換７４によって電気信号に変換された信号は、上記の実施の形態と同様に、シリアル／パラレル変換３６によってパラレル信号に変換されてホスト１６に出力されるようになっている。
【００８０】
また、Ｏ／Ｅ変換７４によって電気変換された信号から光受信モジュール２１から光を受信しているか否かを表すLED_LOS信号を抽出して安全回路４０及び第１の制御手段としてのスイッチ３８に出力する。また、シリアル／パラレル変換３６では、光受信モジュール２１から伝送される信号に含まれる主光信号の受信状態を通知するLD_LOS（Loss Of Power）をRx_LOS信号として安全回路４０に出力する。なお、光受信モジュール２１から光送信モジュール１９に伝送される光信号を副光信号という。また、LED_LOS信号は正常状態でローレベル、未受信状態でハイレベルを出力する２値レベルの信号とされている。
【００８１】
（安全回路）
安全回路４０は、各映像信号が安全回路４０の映像情報検知回路４６に直接入力される点と、Disable信号制御回路５０から出力されるDisable信号が各Ｅ／Ｏ変換７０にそれぞれ出力される点以外は同一構成であるので説明を省略する。
【００８２】
（光受信モジュール）
光受信モジュール２１は、光送信モジュール１９から光ケーブル２２を介して受信した光を光−電気変換するＯ／Ｅ変換９０を備えており、Ｏ／Ｅ変換９０によって変換されて電気信号は、モニタ１４側に直接出力されるようになっている。
【００８３】
変形例では、主光信号を４つのＯ／Ｅ変換９０で受信するため、それぞれの主光信号の受信状態（LD_LOS0、LD_LOS1、LD_LOS2、LD_LOS3）はＯＲ回路９６を介してパラレル／シリアル変換５６に出力されるようになっている。すなわち、何れか１つでも主光信号の受信状態が未受信である場合等では、ＯＲ回路９６はLD_LOS信号として主光信号の受信状態が未受信であることを表す信号を出力する。本実施の形態では、上記の実施の形態で説明したように、LD_LOS信号は正常状態でローレベルとされ、光プラグの抜去時やファイバ断線による障害時など光信号を受信していないときには、ハイレベルを出力する。
【００８４】
また、光送信モジュール１９から伝送される映像信号以外の信号及び光受信モジュール２１から光送信モジュール１９へ伝送する副光信号の伝送経路については、上記の実施の形態と同様であるので説明を省略する。
【００８５】
（光ケーブル）
光ケーブル２２は、各映像信号に対応して光ファイバが上記の実施の形態に対して増加するに伴って端子が増加する点以外は、基本的には同一構成とされている。
【００８６】
すなわち、光プラグを光送信モジュール１９及び光受信モジュール２１に対して挿抜することにより、主光信号用の光ファイバと副光信号用の光ファイバの挿抜を同時に行うことが可能とされている。
【００８７】
以上のように構成しても光プラグ挿抜時を含む光ケーブル２２の障害時に主光信号を停止する際には、上記の実施の形態と同様に動作させることができる。すなわち、変形例のように光信号伝送装置１１を構成しても、光ケーブル２２の未接続や損傷等によるレーザ光の漏出を防止することができる。そして、上記の実施の形態と同様に主光信号を停止する際には２段制御であるので、何れか一方が故障しても他方によってレーザ光の漏出を防止することができ、安全性を向上することができる。
【００８８】
また、変形例では、高速信号である映像信号がパラレル化されるので、上記の実施の形態よりも大画面／大容量の映像信号を伝送することが可能となる。
【００８９】
なお、上記の実施の形態では、主光信号を伝送するための光ファイバと副光信号を伝送するための光ファイバとをそれぞれ設けるようにしたが、主光信号と副光信号を時分割で伝送したり、主光信号と副光信号を分離する機能等を設ける等が必要となるが、１本の光ファイバだけで構成するようにしてもよい。
【図面の簡単な説明】
【００９０】
【図１】本発明の実施の形態に係わる映像信号伝送システムの概略構成を示すブロック図である。
【図２】本発明の実施の形態に係わる映像信号伝送システムにおける光信号伝送装置の構成を示すブロック図である。
【図３】安全回路の構成を示すブロック図である。
【図４】光プラグの構成を示す図である。
【図５】光プラグ装着時の復帰シーケンスを示すタイミングチャートである。
【図６】電源投入時の立上げシーケンスを示すタイミングチャートである。
【図７】映像情報検出時の復帰シーケンスを示すタイミングチャートである。
【図８】本発明の実施の形態に係わる映像信号伝送システムの変形例の概略構成を示すブロック図である。
【図９】変形例の映像信号伝送システムにおける光信号伝送装置の構成を示すブロック図である。
【符号の説明】
【００９１】
１０、１１    光信号伝送装置
１８、１９    光送信モジュール
２０、２１    光受信モジュール
２２    光ケーブル
２６    ＬＤＤ
２８    ＬＤ
３８    スイッチ
４０    安全回路
４２    データ確定回路
４４    パワーオン検知回路
４６    映像情報検知回路
４８    状態検知回路
５０    Disable信号制御回路
５２    ＯＥ変換部
５８    ドライバ
６０    ＬＥＤ
７０、７２、９４    Ｅ／Ｏ変換
７４、９０    Ｏ／Ｅ変換
６２    ＰＤ
６４    ＴＩＡ
６６    ＬＡ
８６    光プラグ
９６    ＯＲ回路
【図１】
2006050530.tif 000003
【図２】
2006050530.tif 000004
【図３】
2006050530.tif 000005
【図４】
2006050530.tif 000006
【図５】
2006050530.tif 000007
【図６】
2006050530.tif 000008
【図７】
2006050530.tif 000009
【図８】
2006050530.tif 000010
【図９】
2006050530.tif 000011